(57)【特許請求の範囲】
【請求項１】
洗髪され整髪剤や油分等が除去された毛髪の毛根に近接した位置までチオグリコール酸を含むパーマネント処理液を付着させ該パーマネント処理液を毛根に浸透させる浸透工程と、該パーマネント処理液が付着した状態の該毛髪を所定の温度に加温しつつ引張して直毛に整形する整形工程と、を備えるパーマネント処理方法であって、
前記浸透工程と前記整形工程の間に前記パーマネント処理液を吸着あるいは吸収する処理粉末を前記毛髪の少なくとも一部に振りかけ、前記毛髪より該処理粉末へ前記パーマネント処理液を移行させて整形を一時中断する処理液吸収工程を備えることを特徴とするパーマネント処理方法。
【請求項２】
前記パーマネント処理液に含まれる前記チオグリコール酸の濃度は、前記パーマネント処理液全体の７重量％以下である請求項１に記載のパーマネント処理方法。
【請求項３】
前記パーマネント処理液はさらにシステインを含み、前記チオグリコール酸の濃度と該システインの濃度との和は、前記パーマネント処理液全体の７重量％である請求項１に記載のパーマネント処理方法。
【請求項４】
前記処理粉末は、親水性の有機粉末か親水性の無機粉末の少なくとも１種である請求項１に記載のパーマネント処理方法。
【請求項５】
前記浸透工程は、前記パーマネント処理液が付着した状態の前記毛髪を加温することを含む請求項１ないし４のいずれか１項に記載のパーマネント処理方法。
【請求項６】
前記浸透工程は、前記パーマネント処理液が付着した状態の前記毛髪を２０分以上放置することを含む請求項１ないし５のいずれか１項に記載のパーマネント処理方法。
【請求項７】
前記浸透工程は、前記パーマネント処理液が付着した状態の前記毛髪を超音波加振手段で加振することを含む請求項１ないし６のいずれか１項に記載のパーマネント処理方法。
【請求項８】
前記整形工程は、前記パーマネント処理液が付着した状態の前記毛髪、或いは前記処理粉末が振りかけられた前記毛髪を、超音波加振手段で加振することを含む請求項１ないし７のいずれか１項に記載のパーマネント処理方法
【請求項９】
前記超音波加振手段が超音波振動子と該振動子に間隔可変に対向配置された超音波吸収板とを備え、前記加振は、該超音波振動子と該吸収板の間に前記パーマネント処理液が付着した状態の前記毛髪、或いは前記処理粉末が振りかけられた前記毛髪を狭持して行われる請求項７又は８に記載のパーマネント処理方法。
【請求項１０】
前記超音波加振手段が超音波振動子と該振動子との間隔を該超音波振動子の発生する超音波の波長の１／２の整数倍になるように対向配置された超音波反射板とを備え、前記加振は、該超音波振動子と該反射板の間に前記パーマネント処理液が付着した状態の前記毛髪、或いは前記処理粉末が振りかけられた前記毛髪を狭持して行われる請求項７又は８に記載のパーマネント処理方法。
【請求項１１】
前記整形工程における前記所定の温度は１００℃以上である請求項１ないし１０のいずれか１項に記載のパーマネント処理方法。
【請求項１２】
前記整形工程における前記所定の力は０．５ｋｇ／ｃｍ2以上である請求項１ないし１１のいずれか１項に記載のパーマネント処理方法。
【発明の詳細な説明】
【技術分野】
本発明は、毛髪を所望の形状に整形するパーマネント処理方法に関し、詳しくは、毛髪を直毛に整形するパーマネント処理方法に関する。
【背景技術】
湾曲形状の毛髪を直毛に整形するためのパーマネント処理方法としては、ストレートパーマや縮毛矯正と呼ばれる種々の方法が知られている。これらの方法は、毛髪に還元剤を含むパーマネント処理液および酸化剤を作用させて、毛髪を直毛に整形する方法である。本明細書では、毛髪を直毛に整形するパーマネント処理方法をパーマネント処理方法と呼ぶ。また、本明細書では、一般にくせ毛や縮毛と呼ばれる湾曲形状の毛髪を縮毛と呼び、湾曲していない形状の毛髪を直毛と呼ぶ。
パーマネント処理方法で使用されるパーマネント処理液として、還元剤としてチオグリコール酸またはその塩類を含むものが知られている。
パーマネント処理液を毛髪に付着させると、チオグリコール酸から発生する水素イオンによって、毛髪の主成分であるケラチンを構成するシスチンが還元されてシスチンのＳ−Ｓ結合が開く。これにより毛髪の弾性が小さくなり可撓性が付与されて所望する形状に整形できるようになる。この状態で、毛髪を圧縮したり引張したりすることで、毛髪は物理的に延ばされる。その後、毛髪に酸化剤を作用させることで、毛髪が延びた状態でＳ−Ｓ結合が閉じ、毛髪は直毛状に整形される。ここで用いられる酸化剤としては、臭素酸ナトリウム等の臭素酸塩、過ホウ酸ナトリウム等の過ホウ酸塩、過酸化水素、空気中の酸素等が使用される（例えば、特許文献１〜２）。
特許文献１には、還元剤を含むパーマネント処理液を毛髪に作用させ、そののちに毛髪を圧縮することで、縮毛の直毛状態を長期間持続させるパーマネント処理方法が記載されている。
また、特許文献２には、還元剤を含むパーマネント処理液を毛髪に作用させ、そののちに毛髪を加温しつつ圧縮することで、毛髪を直毛に整形する方法が記載されている。さらにこの特許文献２には、パーマネント処理液が頭皮にまたは毛根に付着しないように、ゼリー状のパーマネント処理液を用いることが好ましい旨が記載されている。
ところで、これら特許文献に示されるような従来のパーマネント処理方法では、毛髪のうち毛嚢の外部に表出している部分である毛幹が直毛に整形される。しかし、処理後に新たに伸長した毛髪は依然縮毛のままであるために、毛髪の直毛状態を維持するためには毛髪に定期的にパーマネント処理を施す必要があった。
［特許文献１］
特開平０９−１３２５１５号公報
［特許文献２］
再表００−０６４２９８号公報
［発明の開示］
［発明が解決しようとする課題］
本発明は上記事情を考慮してなされたもので、毛髪の直毛状態を長く維持できるパーマネント処理方法を提供することを目的とする。
［課題を解決するための手段］
本発明のパーマネント処理方法は、洗髪され整髪剤や油分等が除去された毛髪の毛根に近接した位置までチオグリコール酸を含むパーマネント処理液を付着させ該パーマネント処理液を該毛髪の該毛根にまで浸透させる浸透工程と、パーマネント処理液が付着した状態の該毛髪を所定の温度に加温しつつ所定の力で引張して直毛に整形する整形工程と、を備えることを特徴とする。
本発明の上記パーマネント処理方法において、前記浸透工程と前記整形工程の間に前記パーマネント処理液を吸着あるいは吸収する処理粉末を前記毛髪の少なくとも一部に振りかけ、前記毛髪より該処理粉末へ前記パーマネント処理液を移行させて整形を一時中断する処理液吸収工程を備えることが好ましい。
本発明のパーマネント処理方法において、前記パーマネント処理液に含まれる前記チオグリコール酸の濃度は、該パーマネント処理液全体の７重量％以下であることが好ましい。
また、前記パーマネント処理液はさらにシステインを含み、前記チオグリコール酸の濃度と該システインの濃度との和は上記パーマネント処理液全体の７重量％であることが好ましい。
処理液吸収工程をおこなう場合、処理粉末は、親水性の有機粉末か親水性の無機粉末の少なくとも１種であることが好ましい。
前記浸透工程は、前記毛髪を加温しつつおこなうことが好ましい。
前記浸透工程は、前記毛髪に前記パーマネント処理液を付着させたのちに２０分以上放置することが好ましい。
前記浸透工程は、前記パーマネント処理液が付着した状態の前記毛髪を超音波加振手段で加振することが好ましい。
前記整形工程は、前記パーマネント処理液が付着した状態の前記毛髪、或いは前記処理粉末が振りかけられた前記毛髪を、超音波加振手段で加振することが好ましい。
前記超音波加振手段が超音波振動子と該振動子に間隔可変に対向配置された超音波吸収板とを備え、前記加振は、該超音波振動子と該吸収板の間に前記パーマネント処理液が付着した状態の前記毛髪、或いは前記処理粉末が振りかけられた前記毛髪を狭持して行われることが好ましい。
前記超音波加振手段が超音波振動子と該振動子との間隔を該超音波振動子の発生する超音波の波長の１／２の整数倍になるように対向配置された超音波反射板とを備え、前記加振は、該超音波振動子と該反射板の間に前記パーマネント処理液が付着した状態の前記毛髪、或いは前記処理粉末が振りかけられた前記毛髪を狭持して行われことが好ましい。
前記整形工程における前記所定の温度は１００℃以上であることが好ましい。
本発明のパーマネント処理方法によると、パーマネント処理後に新たに伸長した毛髪が直毛状態となる。その理由は定かではないが、以下の作用によるものと考えられる。縮毛における毛根部分を模式的に表す断面図を図１に示す。
毛髪１のうち毛根３は、一部が頭皮４から構成されてなる毛嚢２中に位置する部分である。縮毛では、この毛根３が弧状に湾曲していることが知られている。この毛髪１のうち毛根３付近の部分にパーマネント処理液を付着させると、パーマネント処理液は毛嚢２中の毛根３に浸透する。毛根３にパーマネント処理液が浸透すると、毛根３にはパーマネント処理液に含まれるチオグリコール酸が作用するために、毛根３の弾性が小さくなるとともに毛根３に可撓性が付与される。
この状態で、図２に示すように、毛髪１を加温しつつ引張することで、毛髪１は図３に示すように直毛状に整形される。そして毛髪１を直毛状に整形することで、毛根３もまた真っ直ぐな形状に整形されると考えられる。
ここで、毛根３のうち毛母基５は毛嚢２の底部である毛乳頭６と接触する部位であり、ここで細胞分裂が生じることで毛髪１の伸長が生じる。従って、毛根３が真っ直ぐな形状に整形されることで毛母基５も何らかの作用を受けるために、パーマネント処理後に伸長する毛髪１が直毛状になると考えられる。
ここで、従来のパーマネント処理方法では、パーマネント処理液を毛髪のうち毛根から離間した部分にのみ付着させていた。毛髪を直毛に整形するパーマネント処理方法では、毛髪に引張や圧縮等の外力を加えるために、毛髪のうち毛根に近い部分にまでパーマネント処理液を付着させこの部分の弾性を小さくすると、引張時に毛髪が断毛するおそれがあるためである。
従って、従来のパーマネント処理方法では、パーマネント処理液は毛根にまで浸透せず、パーマネント処理後に新たに伸長した毛髪は依然縮毛のままであった。本発明のパーマネント処理方法では、パーマネント処理液を毛根にまで浸透させ、かつ、毛髪を加温しつつ引張することで、上述したようにパーマネント処理後に伸長する毛髪を直毛状にできる。
本発明の上記パーマネント処理方法において、前記浸透工程と前記整形工程の間に前記パーマネント処理液を吸着あるいは吸収する処理粉末を前記毛髪の少なくとも一部に振りかけ、前記毛髪より該処理粉末へ前記パーマネント処理液を移行させて整形を一時中断する処理液吸収工程を備えることが好ましい。この処理液吸収工程後の毛髪に整形工程をおこなうと、先ず、パーマネント処理液を吸着あるいは吸収した処理粉末が加温される。そして、加温されることで処理粉末が接触している毛髪の部分におけるシスチンの還元反応速度が大きくなり、毛髪の整形が再開される。また、処理粉末が加温されて、処理粉末からパーマネント処理液が浸出して再度毛髪に移行することによっても、整形が再開される。
ここで、一般に、縮毛は濡れた状態でより大きく湾曲し、乾いた状態では湾曲が小さくなることが知られている。したがって濡れた状態の毛髪では、整形が進行して湾曲がなくなったり小さくなったりしている部分と、整形が不十分で毛髪が依然湾曲している部分との見掛けの差異が小さくなるために、整形状態を判別するのが非常に困難であった。しかし、浸透工程と整形工程との間に処理液吸収工程をおこなう場合には、毛髪に付着したパーマネント処理液が処理粉末に吸着あるいは吸収されて、毛髪は略乾いた状態になる。このため、毛髪のうち整形が充分に進行している部分と整形が不十分である部分とは視覚により容易に判断することができるために、より確実に毛髪を直毛状に整形できる利点がある。毛髪を確実に直毛状に整形することで、毛根もまた確実に真っ直ぐな状態になり、パーマネント処理後に伸長する毛髪がより確実に直毛になる。
また、上記のようにこの処理液吸収工程後の毛髪に整形工程をおこなうと、先ず、パーマネント処理液を吸着あるいは吸収した処理粉末が加温されるが、加温温度が２００℃を越えても水蒸気が吹き上げることがない。処理液吸収工程なしで整形工程を行うと、毛髪に付着した処理液が一種の水蒸気爆発を起こし危険である。
本発明のパーマネント処理方法において、チオグリコール酸の濃度がパーマネント処理液全体の７重量％以下であるパーマネント処理液を用いる場合には、整形時に断毛が生じ難くなる利点がある。
また、パーマネント処理液にさらにシステインを配合し、チオグリコール酸の濃度とシステインの濃度との和がパーマネント処理液全体の７重量％となるようにする場合には、整形時に断毛が生じにくくなる利点がある。
処理液吸収工程で用いる処理粉末は、親水性の有機粉末か親水性の無機粉末の少なくとも１種であることが好ましい。パーマネント処理液に含まれるチオグリコール酸（Ｃ２Ｈ４Ｏ２Ｓ）は、メルカプト酢酸、またはメルカプトエタン酸とも呼ばれる水溶性の液体であり、パーマネント処理液はチオグリコール酸を水に溶解させた水溶液である。このため、親水性の処理粉末によるとパーマネント処理液がよく吸着あるいは吸収される。
浸透工程を毛髪を加温しながらおこなう場合には、毛根にパーマネント処理液が浸透し易くなり、パーマネント処理後に伸長する毛髪をより確実に直毛状にできる。
浸透工程で、毛髪にパーマネント処理液を付着させたのちに２０分以上放置する場合には、パーマネント処理液の毛髪への浸透がより確実になされるために、パーマネント処理後に伸長する毛髪をより確実に直毛状にできる。
浸透工程で、パーマネント処理液が付着した毛髪を超音波加振すると、パーマネント処理液が毛嚢奥深く進入して毛根の毛乳頭にまで浸透するので、パーマネント処理後に伸長する毛髪をより確実に直毛状にできる。
整形工程で、パーマネント処理液が付着した状態の毛髪（処理液吸収工程なし）、或いは、処理粉末が振りかけられた前記毛髪（処理液吸収工程あり）を、超音波加振手段で加振すると、パーマネント処理液が毛嚢奥深く進入して毛根の毛乳頭にまで浸透するので、パーマネント処理後に伸長する毛髪をより確実に直毛状にできる。
また、浸透工程、或いは整形工程で、超音波振動子と超音波を吸収する吸収板の間にパーマネント処理液が付着した状態の毛髪、或いは処理粉末が振りかけられた毛髪を狭持して超音波加振すると、超音波振動子から発生した超音波が吸収板で吸収されるので反射波による打ち消し作用がなく、超音波が有効に毛髪に作用する。
また、浸透工程、或いは整形工程で、超音波振動子と該振動子との間隔を該超音波振動子の発生する超音波の波長の１／２の整数倍になるように対向配置された超音波反射板との間にパーマネント処理液が付着した状態の毛髪、或いは処理粉末が振りかけられた毛髪を狭持して超音波加振すると、超音波振動子から発生した超音波と反射板で反射した超音波が干渉して強め合うので、処理液の毛根への浸透作用が増大する。
また、整形工程における加温温度を１００℃以上にする場合には、パーマネント処理後に伸長する毛髪がより確実に直毛状になる。なお、ここでいう加温温度とは、毛髪を加温する手段自体の温度をいう。例えば、毛髪をヘアアイロンで加温する場合には、ヘアアイロンのうち毛髪に当接する部分の温度を１００℃以上にする場合を、毛髪の加温温度を１００℃以上にする、という。加温温度が高いほど整形作用が増大するので、例えば２２０℃程度にしたい。処理液吸収工程なしで２２０℃に加温して整形工程を行うと、毛髪に付着した処理液が一種の水蒸気爆発を起こし危険であった。しかし、処理液吸収工程を経ることで加温温度が２００℃を越えても、パーマネント処理液を処理粉末が吸収して乾燥した状態になるので水蒸気が吹き上げることがない。
整形工程を２回に分けておこない、１回目の整形工程である前整形工程を浸透工程と処理液吸収工程との間に、２回目の整形工程である後整形工程を処理液吸収工程後におこなってもよい。毛髪のうち前整形工程によって完全に整形されていない部分を処理液吸収工程で検出し、その部分を後整形工程によって再度整形することで、毛髪はより確実に直毛に整形される。そして、パーマネント処理後に伸長する毛髪もまたより確実に直毛になる。
【図面の簡単な説明】
図１は、縮毛のうち毛根部分を模式的に表す断面図である。
図２は、縮毛に整形工程を施している様子を模式的に表す断面図である。
図３は、本発明のパーマネント処理方法でパーマネント処理したのちの毛髪を模式的に表す断面図である。
図４は、比較例のパーマネント処理後４ヶ月が経過した毛髪を表す写真である。
図５は、比較例のパーマネント処理後４ヶ月が経過した毛髪を表す要部拡大写真である。
図６は、実施例のパーマネント処理後４ヶ月が経過した毛髪を表す写真である。
図７は、実施例のパーマネント処理後４ヶ月が経過した毛髪を表す要部拡大写真である。
図８は、超音波加振手段の側面図、図９は図８のＡ−Ａ断面図である。
【発明を実施するための最良の形態】
本発明のパーマネント処理方法において、パーマネント処理液はチオグリコール酸を含む既知のものを使用することができる。パーマネント処理液に含まれるチオグリコール酸の濃度が大きいほど、パーマネント処理に要する時間が短縮される利点がある。また、チオグリコール酸の濃度が小さいほど、整形時に断毛し難くなる利点がある。
パーマネント処理液に含まれるチオグリコール酸の濃度は、パーマネント処理液に対して７重量％以下であることが好ましい。上述したとおり、整形時の断毛を抑制するためである。なお、パーマネント処理液中のチオグリコール酸の濃度が７重量％を超える場合には整形中に断毛が生じ易くなるが、この場合にもパーマネント処理後に伸長した毛髪は直毛になる。したがって、パーマネント処理液中のチオグリコール酸の濃度は７重量％を超えてもよい。
パーマネント処理液中のチオグリコール酸の濃度は４．５重量％以上７重量％以下であることが望ましい。４．５重量％以上としたのは、チオグリコール酸の濃度が高い方が短時間で確実に整形できるためである。なお、チオグリコール酸の濃度が４．５重量％未満であっても、毛髪に付着させるパーマネント処理液の量を多くしたり、浸透工程および整形工程にかける時間を長くすることで、毛髪を確実に直毛状に整形することができる。そしてこの場合にも、パーマネント処理後に伸長した毛髪は直毛になる。
本発明のパーマネント処理方法において、パーマネント処理液には、さらにシステインを配合することもできる。システインはチオグリコール酸と同様に水素イオンを生じてシスチンを還元する還元剤としてはたらく。システインによるシスチンの還元作用はチオグリコール酸よりも弱いために、システインをチオグリコール酸と併用することで、整形時に毛髪が断毛し難くなる効果がある。この場合、チオグリコール酸の濃度とシステインの濃度との和がパーマネント処理液全体の７重量％であることが好ましい。
また、何れの場合にも、パーマネント処理液のｐＨは４．５〜９．６の範囲であることが好ましく、８〜９程度であることが望ましい。チオグリコール酸は酸性であるが、アンモニアやモノエタノールアミンに代表される既知のアルカリ剤をパーマネント処理液に配合することで、パーマネント処理液のｐＨを上記した範囲に設定できる。なお、例えば、チオグリコール酸としてチオグリコール酸アンモニウム塩等のチオグリコール酸の塩を使用する場合には、特にアルカリ剤を配合しなくてもよい。
浸透工程において、パーマネント処理液を付着させる毛髪の部位は、毛根に近接した位置である程良い。
例えば、頭皮に付着する程度にまでパーマネント処理液を毛根に近い位置に付着させる場合には、パーマネント処理液が直接あるいは頭皮や毛幹を伝って毛嚢に進入し、毛根に浸透する。
また、パーマネント処理液は隣接する毛髪同士の毛管現象によっても毛根方向に移動するために、パーマネント処理液を毛嚢から表出する部分である毛幹にのみ付着させた場合にも、パーマネント処理液は毛嚢内部に進入して毛根に浸透する。
さらに、毛髪は管状であるために、毛髪に付着させたパーマネント処理液の量や付着部位等によっては、毛幹表面に付着したパーマネント処理液が毛髪内部に浸透して毛根に到達する。
何れの場合にも、パーマネント処理液は、毛幹のうち毛嚢付近の部分がパーマネント処理液によって濡れる程度の位置に付着させることが好ましい。
浸透工程は、毛髪を加温しつつおこなうことが好ましいが、このときの温度は３０〜４５℃であることが好ましい。チオグリコールによってシスチンが還元される反応速度は温度に依存するために、毛髪の部位によって大きな温度むらがある場合には、毛髪が均質に整形できない場合がある。しかし、毛髪を加温しつつ浸透工程をおこなう場合には、温度むらが低減されるために毛髪のシスチンがむらなく還元されるために、整形工程で毛髪を均質に整形できる。また、この浸透工程では、毛髪をキャップやラップ材等で覆うことで、より温度むらを低減することもできる。
なお、上述したように、この浸透工程は毛髪にパーマネント処理液を付着させたのちにしばらく放置しておくことが好ましく、２０分以上放置することが望ましい。時間をかけて浸透させることで、より確実に毛髪中のシスチンを還元させるためである。
浸透工程、及び、或いは整形工程は、超音波加振手段で加振しながらおこなうことが好ましいが、このときの超音波の周波数は、２０〜１００ｋＨｚの範囲が好ましい。超音波のパワーは、高ければ、加振時間が短くても処理液が毛根に浸透し、低くければ、加振時間を長くすればよい。例えば、周波数は２０ｋＨｚで、パワーが１０〜２０Ｗの超音波加振手段を用いることができる。
超音波振動子と反射板の間隔Ｌが、超音波の周波数をｆ、音速をｖとすると、
Ｌ＝ｎ（ｖ／ｆ）            （１）
のとき、振動子からの超音波と反射板で反射された超音波が干渉して強め合う。ここで、ｎは、整数で、ｎ＝１、２、３、・・・である。例えば、ｆ＝２０ｋＨｚ、ｎ＝１とすると、ｖ＝３００ｍ／ｓｅｃであるので、Ｌ＝７．５ｍｍとなる。すなわち、２０ｋＨｚの周波数の超音波振動子で加振するする場合、振動子と反射板の間隔を７．５ｍｍになるようにして毛髪を狭持することで、超音波を毛髪に強力に作用させることができる。
整形工程において、処理液吸収工程なしでパーマネント処理液が付着した状態の毛髪を加温する温度は、１６０〜１８０℃の範囲であることが望ましい。このとき毛髪にはパーマネント処理液が付着しているため、毛髪に実際に作用する温度は加温温度以下の温度になり、所謂水蒸気爆発を起こすことがない。毛髪を加温する温度がこの範囲であれば、比較的短時間で毛髪を充分な直毛状に整形することができる。整形工程において、処理液吸収工程後に加温する場合は、２００〜２５０℃の範囲であることが好ましい。処理液が処理粉末に吸収され毛髪が乾燥した状態になり水蒸気爆発することがない。毛髪を加温する温度がこの範囲であれば、短時間で毛髪を充分な直毛状に整形することができる。
整形工程において、毛髪を引張する力は大きい方が好ましいが、例えば、引張時間が長ければ、毛髪を引張する力は比較的小さくてもよい。ここで、毛髪を引張する力は、０．５ｋｇ／ｃｍ２以上であることが好ましく、０．８ｋｇ／ｃｍ２以上であることがより好ましい。そして、１．０ｋｇ／ｃｍ２以上であることが望ましい。なお、ここでいう毛髪を引張する力は、頭皮が引張される程度で判断される。たとえば、頭皮１０ｃｍ四方に生えている毛髪に１０ｋｇの錘をぶら下げたときと同程度に頭皮が引張される場合を、毛髪が１ｋｇ／ｃｍ２で引張されると呼ぶ。
浸透工程と整形工程との間に処理液吸収工程をおこなう場合、処理液吸収工程で毛髪に振りかける処理粉末としては、上述したように親水性の有機粉末か親水性の無機粉末の少なくとも１種であることが好ましい。このうち、親水性の有機粉末としては、水酸基やカルボキシル基、エステル基等の親水基を持つ、糖類、アルコール類、カルボン酸類、エステル類等が好ましく用いられる。なお、これらの有機粉末としては常温で固体のものが用いられる。親水性の無機粉末としては、各種金属酸化物を挙げることができる。このうち、例えば粘度鉱物、シリカ、アルミナ等の比表面積の大きなものは特に好ましく用いられる。
本発明のパーマネント処理方法においては、パーマネント処理液の組成等に応じて、整形工程後の毛髪に酸化剤を作用させて還元されているシスチンを再度酸化させることができる。なお、例えばパーマネント処理液として１浴式と呼ばれる空気中の酸素を酸化剤として用いるものを選択する場合には、別途酸化剤を作用させなくてもよい。
以下、本発明のパーマネント処理方法を例を挙げて説明する。
先ず、縮毛の毛髪を持つ被験者の毛髪に、以下に説明する比較例のパーマネント処理方法によりパーマネント処理を施した。なお、この被験者の毛髪には、部分的に白髪が混ざっていた。
（比較例）
（シスチン還元工程）
洗髪され整髪剤や油分等が除去された毛髪に、パーマネント処理液を付着させた。このパーマネント処理液は、全体を１００％として４．０重量％のチオグリコール酸と、１．５重量％のシステイン塩酸塩と、１．５重量％のモノエタノールアミンと、１．５重量％のアンモニアと、１．５重量％のセタノールと、１．０重量％の塩化ラウリルトリメチルアンモニウムとを含むものであった。
このとき、パーマネント処理液は毛根に付着しないように、毛髪のうち頭皮よりも１ｃｍ以上先端側の部分にのみ付着させた。パーマネント処理液を付着させた毛髪全体を樹脂製のキャップで覆い、４０℃に設定したランプで２０分間加温しつつ放置した。
（前整形工程）
シスチン還元工程終了後、パーマネント処理液が付着した状態の毛髪を、ヘアアイロンを用いて加温しつつ施術者の手で引張した。ここで用いたヘアアイロンは、毛髪に当接する部分が８０℃に加熱されたものである。
先ず、毛髪を一掴み毎にブロッキングした。一つのブロックをヘアアイロンで挟み、挟んだ状態で頭皮付近の位置から毛先側に向けてヘアアイロンを滑らせて引張した。ヘアアイロンが頭皮付近の位置から毛先側に向けて滑りきるまでを１回の引張とした。１回の引張を約５秒かけておこない、合計３回の引張をおこなった。このときの毛髪を引張する力は０．５ｋｇ／ｃｍ２程度であった。他のブロックの毛髪についても同様に３回ずつ引張をおこなって、毛髪全体を整形した。なお、本比較例をおこなったときの被験者の毛髪は約１４ｃｍであった。
（処理液吸収工程）
前整形工程後、パーマネント処理液が付着した状態の毛髪に、ＣＭＣ（カルボキシメチルセルロース）の粉末からなる処理粉末を、毛髪の表面が乾いて見える程度に振りかけた。この工程によってパーマネント処理液が処理粉末に吸収されて、整形が一時中断した。
（後整形工程）
処理液吸収工程後、毛髪の整形状態を目視にて判断した。整形が充分に為されておらず、直毛になっていない部分の毛髪を選択し、上述した前整形工程と同じ方法で毛髪の整形をおこなった。この後整形工程では、１ブロックの毛髪に対して２回ずつ引張をおこなった。この後整形工程により、前整形工程で完全に整形されていなかった毛髪が整形され、毛髪全体が均質に直毛に整形された。
（酸化工程）
後整形工程後、酸化剤全体に対して１０重量％の臭素酸ナトリウムを含む酸化剤を毛髪に作用させた。この酸化工程により、上述した浸透工程でチオグリコール酸により還元されていたシスチンが再度酸化されたために、毛髪の整形状態が直毛状に固定された。
（後処理工程）
浸透工程から酸化工程までが終了したのちに、毛髪を洗浄してパーマネント処理液、処理粉末および酸化剤を除去した。そののちに、ドライヤーにて毛髪を乾燥させた。
以上のパーマネント処理により、被験者の毛髪は直毛に整形された。比較例のパーマネント処理後４ヶ月が経過したのちに、被験者の毛髪を採取した。そして、比較例のパーマネント処理後に新たに伸長した毛髪の状態を目視にて判定した。比較例のパーマネント処理後４ヶ月が経過したのちの被験者の毛髪を表す写真を図４に示す。また、この毛髪の要部拡大写真を図５に示す。図４に示されるように、採取された毛髪１０のうち毛根に近い側の部分１１は縮毛状に毛根から遠い側の部分１２は直毛状になっていた。この直毛状の部分１２は、比較例のパーマネント処理が施された部分であり、縮毛状の部分１１は比較例のパーマネント処理後に新たに伸長した部分であった。この結果から、比較例のパーマネント処理方法、すなわち、従来のパーマネント処理方法では、毛幹の部分は直毛に整形されるが、その後新たに伸長した部分は依然縮毛のままであることがわかった。なお、この毛髪は、採取される直前にカラーリング処理が施されたものである。
【実施例１】
上述した比較例のパーマネント処理後４ヶ月が経過したのち、同一の被試験者の右半分の毛髪に実施例１のパーマネント処理方法によるパーマネント処理を施した。
（浸透工程）
洗髪され整髪剤や油分等が除去された毛髪に、パーマネント処理液を付着させた。このパーマネント処理液は、比較例で用いたパーマネント処理液と同じものである。
このとき、パーマネント処理液は頭皮が濡れる程度に毛髪全体に付着させた。パーマネント処理液を付着させた毛髪を樹脂製のキャップで覆い、４０℃に設定したランプで２０分間加温しつつ放置した。
（処理液吸収工程）
浸透工程後、パーマネント処理液が付着した状態の毛髪に、ＣＭＣ（カルボキシメチルセルロース）の粉末からなる処理粉末を、毛髪の表面が乾いて見える程度に振りかけた。この工程によってパーマネント処理液が処理粉末に吸収されて、整形が一時中断した。
（整形工程）
処理液吸収工程後、パーマネント処理液を吸収したＣＭＣが付着した状態の毛髪を、ヘアアイロンを用いて加温しつつ施術者の手で引張した。ここで用いたヘアアイロンは、毛髪に当接する部分が１６０℃に加熱されたものである。
先ず、毛髪を一掴み毎にブロッキングした。一つのブロックをヘアアイロンで挟み、挟んだ状態で頭皮付近の位置から毛先側に向けてヘアアイロンを滑らせて引張した。ヘアアイロンが頭皮付近の位置から毛先側に向けて滑りきるまでを１回の引張とした。１回の引張を約５秒かけておこない、合計４回の引張をおこなった。このときの毛髪を引張する力は１ｋｇ／ｃｍ２程度であった。他のブロックの毛髪についても同様に４回ずつ引張をおこなって、毛髪全体を整形した。なお、本比較例をおこなったときの被験者の毛髪は約１８ｃｍであった。
（酸化工程）
整形工程後、比較例と同じ酸化剤を毛髪に作用させて、毛髪の整形状態を直毛状に固定した。
（後処理工程）
浸透工程から酸化工程までが終了したのちに、毛髪を洗浄してパーマネント処理液、処理粉末および酸化剤を除去した。そののちに、ドライヤーにて毛髪を乾燥させた。
以上のパーマネント処理により、被験者の毛髪は直毛に整形され、直毛に整形された部分が染毛された。本実施例のパーマネント処理後４ヶ月が経過したのちに、被験者の毛髪を採取した。そして、本実施例のパーマネント処理後に新たに伸長した毛髪の状態を目視にて判定した。本実施例のパーマネント処理後４ヶ月が経過したのちの被験者の毛髪を表す写真を図６に示す。また、この毛髪の要部拡大写真を図７に示す。図６に示されるように、採取された毛髪２０の約８０％が新たに伸張した部分も含め直毛状になっていた。図７は、本実施例のパーマネント処理後に新たに伸長した部分である白色の部分２１を示すが、直毛状であることがわかる。この結果から、本実施例のパーマネント処理方法では、毛幹の部分が直毛に整形されるとともに、その後新たに伸長した部分も直毛になることがわかった。
【実施例２】
上述した比較例のパーマネント処理後４ヶ月が経過したのち、同一の被試験者の左半分の毛髪に実施例２のパーマネント処理方法によるパーマネント処理を施した。本実施例は、浸透工程と整形工程以外は実施例１と同じであるの、以下に浸透工程と整形工程のみ説明する。
（浸透工程）
洗髪され整髪剤や油分等が除去された毛髪に、パーマネント処理液を付着させた。このパーマネント処理液は、比較例で用いたパーマネント処理液と同じものである。
このとき、パーマネント処理液は頭皮が濡れる程度に毛髪全体に付着させた。パーマネント処理液を付着させた毛髪を図８及び図９に示す超音波加振手段で加振した。加振手段は、ヒンジ軸９の回りにスプリング８５の付勢力に逆らって回転できるアーム７、８を備え、アーム７にはアーム８と対向する側に超音波振動子７１が装着されている。また、アーム８のアーム７に対向する側には反射板８１が、先端には着脱可能なストッパ８４が装着されている。７２、８２はヒータ、３０は毛髪、７３はアーム７の握り部、８３はアーム８の握り部である。超音波振動子７１からは周波数２０ｋＨｚ、パワー１６Ｗの超音波が発射される。ストッパ８３にアーム７が当接した状態（図８の状態）でのアーム７、８の間隙が７．５ｍｍになるようにストッパ８３の高さが設定されている。一掴み毎にブロッキングした毛髪３０をアーム７と８で挟んでヒンジ軸９の回りに回転させてアーム７をストッパ８３に当接させ、ヒータ７２、８２を４０℃に設定して３０秒間加振した。他のブロックの毛髪についても同様に加振した。
なお、超音波加振手段は、上記（図８、図９）に限定されず、例えば、８１をも超音波振動子としてもよい。或いは、８１を超音波吸収板としてもよい。
（整形工程）
処理液吸収工程後、パーマネント処理液を吸収したＣＭＣが付着した状態の毛髪を、図８、図９の超音波加振手段を用いて加温且つ加振しつつ施術者の手で引張した。なお、この場合の加振手段は、ストッパ８３が取り外され、毛髪３０を強く狭持することができる。また、ヒータ７２、８２は２２０℃に設定された。
先ず、毛髪を一掴み毎にブロッキングした。一つのブロックを加振手段で挟み、挟んだ状態で頭皮付近の位置から毛先側に向けて加振手段を滑らせて引張した。加振手段が頭皮付近の位置から毛先側に向けて滑りきるまでを１回の引張とした。１回の引張を約５秒かけておこない、合計４回の引張をおこなった。このときの毛髪を引張する力は１ｋｇ／ｃｍ２程度であった。他のブロックの毛髪についても同様に４回ずつ引張をおこなって、毛髪全体を整形した。なお、本比較例をおこなったときの被験者の毛髪は約１８ｃｍであった
本実施例のパーマネント処理により、被験者の毛髪は直毛に整形され、直毛に整形された部分が染毛された。本実施例のパーマネント処理後４ヶ月が経過したのちに、被験者の毛髪を採取した。そして、本実施例のパーマネント処理後に新たに伸長した毛髪の状態を目視にて判定した。採取された毛髪の９５〜１００％が新たに伸張した部分も含め直毛状になっていた。この結果から、本実施例のパーマネント処理方法では、毛幹の部分が直毛に整形されるとともに、その後新たに伸長した部分も完成度高く直毛になることがわかった。
【図１】
0004533375.tif 000002
【図２】
0004533375.tif 000003
【図３】
0004533375.tif 000004
【図４】
0004533375.tif 000005
【図５】
0004533375.tif 000006
【図６】
0004533375.tif 000007
【図７】
0004533375.tif 000008
【図８】
0004533375.tif 000009
【図９】
0004533375.tif 000010